(57)【特許請求の範囲】
【請求項１】
網戸を支持可能な既存下網戸レール部の一部である先端部が切除された合成樹脂製の下枠を有する窓枠と、
前記窓枠に装着された障子と、
合成樹脂より剛性が高い材料により形成され、前記既存下網戸レール部の前記先端部が切除されて残存する部位上に配置される下網戸レール、及び、前記下枠に載置された前記下網戸レールを前記下枠の上方から当該下枠に固定するウェルナットを有する下網戸レールユニットと、
を備え、
前記下網戸レールは、前記残存する部位と係合する係合部を有し、
前記係合部が前記残存する部位と係合して当該残存する部位上に配置された状態で、前記網戸を、前記窓枠および前記障子との間に隙間が生じない位置に支持することを特徴とする建具。
【請求項２】
請求項１に記載の建具であって、
前記下枠は、前記既存下網戸レール部よりも室内側に障子を支持する下障子レールを有しており、
前記下網戸レールは、前記既存下網戸レール部と前記下障子レールとの間にて前記下枠に固定されていることを特徴とする建具。
【請求項３】
請求項１または請求項２に記載の建具であって、
前記下網戸レールは、前記先端部を切除した部位を覆って固定されることを特徴とする建具。
【請求項４】
請求項１乃至請求項３のいずれかに記載の建具であって、
前記下網戸レールは、前記下枠との間にスペーサが介在されて前記下枠との間に空隙を備えた状態で前記下枠に固定されることを特徴とする建具。
【請求項５】
請求項１乃至請求項４のいずれかに記載の建具であって、
前記固定具は、ウェルナットであることを特徴とする建具。
【発明の詳細な説明】
【技術分野】
【０００１】
本発明は、建具に関する。
【背景技術】
【０００２】
従来から、合成樹脂製の上下の横枠および左右の縦枠を矩形状に接合した窓枠に開閉自在に設けられた障子及び網戸を備えた樹脂サッシ（建具）が知られている（例えば、特許文献１参照）。障子より室外側に設けられた網戸を支持する網戸レールは、窓枠を形成し建物の外壁から突出する下側の横枠において最も室外側に設けられている。
【先行技術文献】
【特許文献】
【０００３】
【特許文献１】特開２００６−２２５８９号公報
【発明の概要】
【発明が解決しようとする課題】
【０００４】
上記のような建具は、窓枠を形成している合成樹脂はアルミニウムなどの金属より強度が低く、また温度により剛性が低下する、或いは軟化し易いという特性がある。また、下枠は、その上に物が落下したり、通過する人が接触したりして変形する虞がある。特に網戸レールは、固定されている外壁から最も離れた位置に配置されているため、より変形しやすく、例えば間口の中央側の高さが両脇より低くなるように反りが生じてしまう虞がある。反りが生じた網戸レール上には網戸が傾いた状態で装着されるため、例え網戸を閉めたとしても窓枠との間に隙間が生じてしまう虞がある。また、上下の網戸レールの間隔が他よりも広い部位が生じるため、網戸が確実に案内されず不安定になる箇所が生じたり、網戸が滑らかに移動できない箇所が生じたりする虞がある。
【０００５】
本発明は、かかる課題に鑑みてなされたものであり、その目的とするところは、変形し難い下網戸レールを合成樹脂製の下枠に備えることが可能な下網戸レールユニットを有する建具を提供することにある。
【課題を解決するための手段】
【０００６】
かかる目的を達成するために本発明の建具は、網戸を支持可能な既存下網戸レール部の一部である先端部が切除された合成樹脂製の下枠を有する窓枠と、前記窓枠に装着された障子と、合成樹脂より剛性が高い材料により形成され、前記既存下網戸レール部の前記先端部が切除されて残存する部位上に配置される下網戸レール、及び、前記下枠に載置された前記下網戸レールを前記下枠の上方から当該下枠に固定するウェルナットを有する下網戸レールユニットと、を備え、前記下網戸レールは、前記残存する部位と係合する係合部を有し、前記係合部が前記残存する部位と係合して当該残存する部位上に配置された状態で、前記網戸を、前記窓枠および前記障子との間に隙間が生じない位置に支持することを特徴とする建具である。
【０００７】
このような建具によれば、下網戸レールは、窓枠を形成している合成樹脂より剛性が高い材料により形成されているので、合成樹脂製のレールより変形し難い。また、固定具は、下枠に載置された下網戸レールを下枠の上方から当該下枠に固定するので、下網戸レールに作用する網戸の重量を下枠に支持させることが可能である。このため、合成樹脂製の下枠に変形し難い下網戸レールを備えることが可能である。
【０００８】
また、下網戸レールは、下枠の既存下網戸レール部を切除した部位に設けられるので、既存下網戸レール部により支持されていた位置に配置することが可能である。
【０００９】
また、下網戸レールは下枠と係合して窓枠の網戸取り付け位置に配置されるので、下網戸レールにより支持された網戸を、既存下網戸レール部により支持されていた位置に配置することが可能である。このため、窓枠および障子との間に隙間が生じないので防虫性能を維持することが可能である。
また、下網戸レールはウェルナットにより固定されるので、ビスを上方から締め込むだけで容易に固定することが可能である。また、ビスを締め込んだ際にウェルナットの樹脂部が下枠に形成された孔を塞ぐように膨出するので雨水等の下枠内への浸入を防止することが可能である。また、下網戸レールがウェルナットにより固定されるので下網戸レールを取り外すことも可能である。このため、下網戸レールを容易に交換することも可能である。
【００１０】
かかる建具であって、前記下枠は、前記既存下網戸レール部よりも室内側に障子を支持する下障子レールを有しており、前記下網戸レールは、前記既存下網戸レール部と前記下障子レールとの間にて前記下枠に固定されていることを特徴とするが望ましい。
【００１１】
かかる建具であって、前記下網戸レールは、前記先端部を切除した部位を覆って固定されることが望ましい。
このような建具によれば、既存下網戸レール部を切除した部位は、下網戸レールが下枠に固定された際に下網戸レールに覆われるので、下枠における既存下網戸レール部を切除した部位が外部に露出することを抑えることが可能である。
【００１２】
かかる建具であって、前記下網戸レールは、前記下枠との間にスペーサが介在されて前記下枠との間に空隙を備えた状態で前記下枠に固定されることが望ましい。
このような建具によれば、下網戸レールは下枠に当接されず、スペーサが介在されて下枠との間に空隙を備えた状態で下枠に固定されるので、下枠上に進入した水の流れを妨げない。このため、下枠上に進入した水を下枠に設けられた排水開口に至らせて溜まらせることなく排出することが可能である。
【発明の効果】
【００１４】
本発明によれば、変形し難い下網戸レールを合成樹脂製の下枠に備えることが可能な下網戸レールユニットを有する建具を提供することが可能である。
【図面の簡単な説明】
【００１５】
【図１】既存の建具の縦断面図である。
【図２】本実施形態に係る下網戸ユニットが取り付けられた状態を示す縦断面図である。
【図３】本実施形態に係る下網戸レールユニットの斜視図である。
【図４】下網戸レールユニットの取付方法を説明する図である。
【発明を実施するための形態】
【００１６】
以下、本発明の一実施形態に係る建具について図面を参照して説明する。
【００１７】
本実施形態においては、下網戸レールユニット１０は、例えば、図１に示すような建物等に設けられる合成樹脂製の窓枠２に装着される内障子及び外障子でなる引き違い障子３及び網戸４を備え建具１ａに用いられる。ここでは、建物等に既に備えられている既存の建具１ａの窓枠２が有する下枠６に、長手方向における中央側の高さが両脇より低くなるように反りが生じたときに、既存下網戸レール部６２の一部を切除した下枠６に下網戸レールユニット１０（図２）を取り付けた建具１を例に挙げて説明する。
【００１８】
以下の説明においては、建物等に取り付けられた状態の建具１を室外側から見たときに、上下となる方向を上下方向、左右となり障子３の下枠６の長手方向を左右方向または長手方向、室内外方向である奥行き方向を見込み方向として示す。下網戸レールユニット及び建具１の各部位であっても、また、下網戸レールユニット及び建具１を構成する各部材については単体の状態であっても、建物等に取り付けられた状態にて上下方向、左右方向または長手方向、奥行き方向となる方向にて方向を特定して説明する。
【００１９】
本発明の建具１を説明する前に、まず、下網戸レールユニット１０が取り付けられていない状態の既存の建具１ａについて説明する。
【００２０】
窓枠２に装着された２枚の障子３は、いずれもガラス３ａを囲むように矩形状の障子框５が設けられており、左右方向における両下端部側にそれぞれ障子戸車が設けられ、下枠６が有する下障子レール６ａ上にて移動自在に設けられている。
【００２１】
網戸４は、矩形状をなす網戸框４ａに囲まれた領域を覆うように網４ｂが張られている。網戸框４ａが有する網戸下框４ｃには、左右方向における両端部側にそれぞれ網戸戸車４ｄが設けられている。障子戸車が支持する障子框５及びガラス３ａは網戸框４ａ及び網４ｂより重いため、障子戸車は網戸戸車４ｄより大きな重量が支持できるように高い耐久性を備えている。
【００２２】
下枠６は、上枠７と対向する平面部６１から上方に突出する２つの下障子レール６ａと、２つの下障子レール６ａより室外側に配置された既存下網戸レール部６２を有している。既存下網戸レール部６２は、室外側に位置する外障子３を案内する下障子レール６ａと見込み方向に間隔を隔てて設けられており、既存下網戸レール部６２と下障子レール６ａの間を繋ぐ平面部６１の下に下枠６の長手方向に連通する中空部６３が設けられている。すなわち、平面部６１の既存下網戸レール部６２と下障子レール６ａの間の部位６１ａは、中空部６３の上に位置している。
【００２３】
既存下網戸レール部６２は、下障子レール６ａより室外側において平面部６１の下に設けられた中空部６３の室外側の壁部を形成する外壁部６ｂが平面部６１より上方に鉛直に延出されて形成されている。既存下網戸レール部６２の室内側には、僅かに間隔を隔てて対向して設けられ平面部６１上に立設された対向壁部６ｃを有しており、対向壁部６ｃの上縁から室外側に向かって上昇する傾斜をなす傾斜部６ｄにより既存下網戸レール部６２と繋がっている。
【００２４】
既存下網戸レール部６２と対向壁部６ｃとには、見込み方向に貫通する開口６ｅが設けられている。これは、下枠６の平面部６１上に浸入した水が開口６ｅを通して室外に排出されるように形成されている。開口６ｅには、揺動自在に設けられて開口６ｅを覆い、排出される水により開かれる蓋を有する排水口カバー６ｆが設けられている。
【００２５】
下網戸レールユニット１０は、図２、図３に示すように、下網戸レール１１と、下網戸レール１１を下枠６に固定するための固定具としてのウェルナット１２と、を有している。この下網戸レール１１は、既存の建具の既存下網戸レール部６２の先端側の部位を切除した位置、すなわち網戸取り付け位置に、下網戸レール１１のレール部１１ａが位置するように取り付けられる。
【００２６】
下網戸レール１１は、外壁部６ｂの上方にて外壁部６ｂとほぼ直線状に並ぶように配置されるレール部１１ａと、レール部１１ａの下端から僅かに室外側に屈曲して残存する既存下網戸レール部６２の室外側の面に沿って配置される外カバー部１１ｂと、レール部１１ａの下端から室内側に屈曲して残存する傾斜部６ｄおよび対向壁部６ｃに沿って配置される内カバー部１１ｃと、内カバー部１１ｃの下端から室内側に延出されて平面部６１とほぼ平行に配置されて平面部６１に固定される固定部１１ｄと、を有している。
【００２７】
下網戸レール１１は、アルミニウム製の押出成形部材であり、下枠６のほぼ全長に亘る長さを有している。固定部１１ｄには、長手方向に適宜間隔を隔てて複数の固定孔１１ｅが設けられている。
【００２８】
ウェルナット１２は、軟質の合成樹脂でなる樹脂部としての固定具本体１３と、固定具本体１３内に内蔵されたナット１４とを有している。固定具本体１３は、ナット１４が内蔵された筒状部１３ａと、筒状部１３ａの貫通孔１３ｂの貫通方向における一方の端部が筒状部１３ａの直径より大きく拡径されたフランジ部１３ｃとを有している。ナット１４は、筒状部１３ａにおいてフランジ部１３ｃと反対側に偏らせて設けられており、貫通孔１３ｂにフランジ部１３ｃ側から挿入したビス８をナット１４に螺合して締め込んだときにナット１４がフランジ部１３ｃ側に引き寄せられることにより筒状部１３ａにおいてナット１４よりフランジ部１３ｃ側の部位が、外周側に膨出するように形成されている。尚、フランジ部１３ｃの直径は、下障子レール６ａと対向壁部６ｃとの幅より小さく形成されている。
【００２９】
長手方向における中央近傍の高さが低くなるように反りが生じた既存の下枠６への下網戸レールユニット１０の取り付け方法について説明する。
まず、図４に示すように、反りが生じた既存下網戸レール部６２の一部である先端側の部位を切除する。たとえば、既存下網戸レール部６２の、対向壁部６ｃの上縁から設けられている傾斜部６ｄと繋がった部位より上側の部位をアクリルカッター等により既存下網戸レール部６２の全長に亘って切除する。
【００３０】
次に、下枠６の外障子３を案内する下障子レール６ａと対向壁部６ｃとの間の平面部６１に、下網戸レール１１の固定孔１１ｅ位置に合わせて下網戸レール１１を固定するための取付孔６１ｂをドリル９等により形成する。この取付孔６１ｂは、筒状部１３ａの直径より僅かに大きく、フランジ部１３ｃの直径より小さく形成する。
【００３１】
次に、形成した取付孔６１ｂに筒状部１３ａを上方から挿入してウェルナット１２を配置し、その上に下網戸レール１１を配置する。取付孔６１ｂに筒状部１３ａが挿入されたウェルナット１２のフランジ部１３ｃの外周面は、下障子レール６ａおよび対向壁部６ｃとの間に空隙Ｓが設けられている。また、下網戸レール１１を配置しても露出する、既存下網戸レール部６２の切除部分には、適宜塗装等を施すことが好ましい。
【００３２】
下網戸レール１１は、既存下網戸レール部６２が切除された切り口の上に下網戸レール１１のレール部１１ａが位置するように配置するとともに、固定孔１１ｅを平面部６１に装着されたウェルナット１２の貫通孔１３ｂと固定孔１１ｅとの位置を合わせて固定部１１ｄをフランジ部１３ｃ上に載置する。このとき、下網戸レール１１は、下枠６の既存下網戸レール部６２が切除されて残存する部位に係合されて位置決めされる。ここで、下網戸レール１１の外カバー部１１ｂと内カバー部１１ｃとで形成される部位が係合部に相当する。
【００３３】
既存の下枠６は、長手方向における中央側の高さが両脇より低くなるように反っているので、下網戸レール１１の両端側に位置するフランジ部１３ｃ上には載置されるが、その他のフランジ部１３ｃとの間には、上下方向に隙間が生じている。このため、下網戸レール１１の固定部１１ｄとフランジ部１３ｃとの隙間には、例えばワッシャー１５などを適宜介在させて高さを合わせておく。下網戸レール１１の固定部１１ｄは、ウェルナット１２のフランジ部１３ｃおよび介在されたワッシャー１５の厚み分だけ平面部６１より上方に位置している。ここで、ウェルナット１２のフランジ部１３ｃおよびワッシャー１５がスペーサに相当する。このとき、既存下網戸レール部６２と下網戸レール１１の外カバー部１１ｂおよび内カバー部１１ｃとの間にシーリング剤等を充填してもよい。
【００３４】
次に、下網戸レール１１の各固定孔１１ｅおよびウェルナット１２の貫通孔１３ｂにビス８を挿入し、ウェルナット１２のナット１４に螺合して締め込んで下網戸レール１１を下枠６に固定する。ビス８を締め込むことにより、ナット１４がフランジ部１３ｃ側に引き寄せられ、筒状部１３ａのフランジ部１３ｃ側の部位が固定孔１１ｅ、取付孔６１ｂおよび平面部６１の下側の中空部６３内で外周側に膨出する。筒状部１３ａの膨出した部位は、ビス８の頭部と共に下網戸レール１１の固定部１１ｄ、ウェルナット１２のフランジ部１３ｃおよび下枠６の平面部６１を挟持して下網戸レール１１を下枠６に固定する。このとき、筒状部１３ａの膨出した部位は、平面部６１の取付孔６１ｂを閉塞して止水する。
【００３５】
本実施形態の建具１によれば、下網戸レール１１は、窓枠２を形成している合成樹脂より剛性が高いアルミニウムにより形成されているので、合成樹脂製のレールより変形し難い。また、下網戸レール１１は、窓枠２の網戸取り付け位置に配置されるので、窓枠２に対して適切な位置に網戸４を配置することが可能である。また、ウェルナット１２は、下枠６上に載置された下網戸レール１１を下枠６の上方から当該下枠６に固定するので、下網戸レール１１に作用する網戸４の重量を下枠６に支持させることが可能である。このため、合成樹脂製の下枠６に変形し難い下網戸レール１１を備えることが可能である。
【００３６】
また、下網戸レール１１は、下枠６の樹脂製の既存下網戸レール部６２の一部を切除した部位に設けられるので、既存下網戸レール部６２の一部を切除した部位は、下網戸レール１１が下枠６に固定された際に下網戸レール１１に覆われる。このため、下枠６における既存下網戸レール部６２を切除した部位が外部に露出することを抑えることが可能である。
【００３７】
また、下網戸レール１１は下枠６と係合して窓枠２の網戸取り付け位置に配置されるので、下網戸レール１１により支持された網戸４を、既存下網戸レール部６２により支持されていた位置に配置することが可能である。このため、窓枠２および障子３との間に隙間が生じないので防虫性能を維持することが可能である。
【００３８】
また、下網戸レール１１はウェルナット１２により固定されるので、ビス８を上方から締め込むだけで容易に固定することが可能である。また、ビス８を締め込んだ際にウェルナット１２の筒状部１３ａにおいてナット１４よりフランジ部１３ｃ側の部位が拡径する方向に膨出して下枠６に形成された取付孔６１ｂを塞ぐので雨水等の下枠６において取付孔６１ｂの下に位置する中空部６３内への浸入を防止することが可能である。また、下網戸レール１１がウェルナット１２により固定されるので下網戸レール１１を容易に取り外すことも可能である。このため、下網戸レール１１を容易に交換することも可能である。
【００３９】
また、下網戸レール１１は、固定部１１ｄが下枠６の平面部６１に当接されず、ウェルナット１２のフランジ部１３ｃ及びワッシャー１５を介することにより平面部６１と間隔を隔てて配置されており、フランジ部１３ｃの直径は、下障子レール６ａと対向壁部６ｃとの幅より小さいので、下障子レール６ａと対向壁部６ｃとの間に進入した水が開口６ｅに流れることを妨げない。このため、下障子レール６ａと対向壁部６ｃとの間に水が溜まることを防止することが可能である。
【００４０】
このように、上述した変形し難い下網戸レール１１を備えて、既存下網戸レール部６２により支持されていた位置に網戸４を取り付けることが可能な建具１を提供することが可能である。
【００４１】
上記実施形態においては、下網戸レール１１がアルミニウムにて形成されている例について説明したが、これに限らず、例えば、鉄など合成樹脂より剛性が高い材料により形成されていれば構わない。
【００４２】
上記実施形態においては、固定具をウェルナット１２としたが、これに限るものではない。例えば、上方から下枠の取付孔に挿入されて係止される爪を有する固定具等であっても構わない。
【００４３】
上記実施形態においては、下枠６に反りが生じたときに、既存下網戸レール部６２の一部を切除した下枠６に下網戸レールユニット１０を取り付ける例について説明したが、これに限らず、下枠に変形が生じていない状態で製造当初から窓枠の網戸取り付け位置に下網戸レールユニット１０が設けられていても構わない。
上記実施形態においては、障子として引き違い障子３を備えた建具１を例に挙げて説明したが、これに限らず、辷り出し窓等の他の種類の建具であっても構わない。
【００４４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  建具、 ２  窓枠、３  外障子(障子)、４  網戸、６  下枠、
１０  下網戸レールユニット、１１  下網戸レール、１１ｂ  外カバー部、
１１ｃ  内カバー部１２  ウェルナット、１３ｃ  フランジ部、１５  ワッシャー、
６１  平面部、６２  既存下網戸レール部、 Ｓ  空隙
【図１】
0006664876.tif 000002
【図２】
0006664876.tif 000003
【図３】
0006664876.tif 000004
【図４】
0006664876.tif 000005